(57)【要約】【課題】監視中の住宅などにおいて、安全かつ効率的に防犯端末器の動作確認を行えるようにする。【解決手段】家屋などの監視区域Ａ，Ｂ，Ｃのそれぞれにセンサ２１と、カメラ２２と、警報ランプ２３と、音声警告スピーカ２４と、スプレー噴射装置２５とを配置し、これらを監視サーバ２６に接続してネットワークを構築し、監視サーバ２６から所定の情報を警備会社のセンターサーバ３１に送信するセキュリティシステム１であって、センターサーバ３１で通常の監視を行う本番監視モードと、訓練を行う訓練モードと、機器の点検を行うテストモードとを選択可能し、センサ２１などが侵入者を検出したら、これらのモードに応じて警報ランプ２３を作動させるようにした。【選択図】      図１
2004258937.tif 000002
【特許請求の範囲】
【請求項１】
侵入者を検出する検出機器と、前記侵入者を威嚇する威嚇機器とを所定の区域内に配設し、前記検出機器および前記威嚇機器とコンピュータである監視サーバとでネットワークを構築して監視区域をなし、この監視区域内への侵入者を前記検出機器が検知したときに、前記監視サーバからの作動指令を受けて前記威嚇機器を作動させるセキュリティシステムにおいて、前記監視区域の監視モードとして、前記監視区域の防犯訓練の実施、または前記検出機器のテストの実施を前記監視サーバに登録可能にし、前記監視区域内への侵入者を前記検出機器が検知したときに前記監視モードごとに前もって定められた前記威嚇機器に対して前記作動指令を出力するように前記監視サーバを構成したことを特徴とするセキュリティシステム。
【請求項２】
前記威嚇機器は、警報ランプ、音声を出力する音声警報スピーカ、スプレー式の噴射装置の少なくとも１つであることを特徴とする請求項１に記載のセキュリティシステム。
【請求項３】
防犯訓練時には前記警報ランプおよび前記音声警報スピーカに作動指令を出力し、テスト時には前記警報ランプに作動指令を出力するように前記監視サーバを構成したことを特徴とする請求項２に記載のセキュリティシステム。
【請求項４】
前記監視サーバは、前記検出機器が侵入者を検出した場合にその検出機器を特定する情報および検出日時ならびに前記監視区域を特定する情報を含む検出情報を出力し、前記威嚇機器を作動させた場合にその威嚇機器を特定する情報および検出日時ならびに前記監視区域を特定する情報を含む検出情報を出力するように構成したことを特徴とする請求項１に記載のセキュリティシステム。
【請求項５】
特定の区域内に侵入した侵入者を検出機器が検出した際に、威嚇機器で前記侵入者を威嚇するにあたり、前記検出機器が検出した情報と、前記威嚇機器を作動させたことを示す情報とを通信網を介して取得し、各情報を前記区域ごとに画面表示させるコンピュータであるセンタサーバを有し、前記センタサーバは、監視区域の監視モードとして、前記監視区域ごとに防犯訓練の実施、または前記検出機器のテストの実施を選択可能になっており、侵入者の検出時に前記監視モードごとに前もって定められた前記威嚇機器を作動させるべく、選択結果をその監視区域に送信するように構成したことを特徴とするセキュリティシステム。
【請求項６】
選択された前記監視モードをその監視区域の名称と共に画面表示させることを特徴とする請求項５に記載のセキュリティシステム。
【請求項７】
前記監視区域の前記検出機器が検出した情報として前記検出機器を特定する情報と、検出日時とを取得し、前記威嚇機器を作動させたことを示す情報として、前記威嚇機器を特定する情報と、作動日時とを取得し、前記監視区域およびその監視区域の前記監視モードごとに、前記検出機器を特定する情報および検出日時と、前記威嚇機器を特定する情報および作動日時とを時系列に表示させるように構成したことを特徴とする請求項５または請求項６に記載のセキュリティシステム。
【発明の詳細な説明】
【０００１】
【発明の属する技術分野】
本発明は、防犯のために構築されるセキュリティシステムに関する。
【０００２】
【従来の技術】
近年、住宅や商店の防犯対策として、警備会社などが遠隔地から監視する防犯監視システム（以下、セキュリティシステムとする）が開発されている。このようなセキュリティシステムとしては、例えば、特許文献１に記載されているものがある。特許文献１に記載のセキュリティシステムは、侵入者の有無を検出するセンサや、侵入者を撮影するカメラなどの防犯端末器を住宅などの内部に配設し、防犯端末器の情報を通信網を介して警備会社に送信するように構成されている。さらに、住宅の持ち主や、商店の店主など、監視を希望するユーザが状況確認を自分で確認できるようにするために、防犯端末器の情報を収集したり、蓄積したりする防犯監視サーバを、その住宅や商店に設置してある。
【０００３】
また、防犯端末器は、その誤作動を防止するために定期的に点検（テスト）することが望ましい。テスト方法としては、センサに点検スイッチを含むテスト回路部を設け、点検スイッチを切り替えて作動テストを行うことが知られている（例えば、特許文献２参照。）。
【０００４】
【特許文献１】
特開２００２−１６５２１１号公報（段落番号００１１から００１４、図１）
【特許文献２】
特開平５−２３３９６６号公報（段落番号００１６、００２５、図１）
【０００５】
【発明が解決しようとする課題】
ここで、従来のセキュリティシステムにおいて防犯端末器のテストや防犯訓練を行って動作確認をすると、テストや防犯訓練により擬似的に発生させた検出信号が警備会社に送信されるので、この検出信号を受けた警備会社が誤って警察などに通報してしまう可能性がある。このため、住宅や商店に多数の防犯端末器を設置している場合には、誤った通報を行わせないように各防犯端末器ごとに確認しながら、テストや防犯訓練を行わなければならない。また、テストや防犯訓練を行う家屋などに、警報ランプや、スプレーを噴射して侵入者を撃退するスプレー噴射装置などの威嚇機器が設置されている場合には、テストや防犯訓練を行う度に威嚇機器が作動すると近隣に迷惑がかかったり、点検作業者にスプレーを噴き付けてしまうことがある。
本発明は、このような問題を鑑みてなされたものであり、その目的とするところは、監視中の住宅などにおいて、防犯端末器の動作確認を確実に行えるようにすることである。また、防犯端末器の動作確認を、安全に、かつ効率的に行えるようにすることである。
【０００６】
【課題を解決するための手段】
前記の課題を解決するために、本発明では、監視区域内に設置された機器のテストや、監視区域の防犯訓練といった動作確認を行う際に、テストや訓練の実施を警備会社などが設定できるようにした。また、テストと、訓練とのそれぞれの目的に合わせて威嚇装置を作動させるようにした。例えば、監視区域内では、監視区域の防犯訓練の実施もしくは検出機器のテストの実施を監視区域の監視モードとして監視サーバに登録可能にし、監視区域内への侵入者を検出機器が検知したときに監視モードごとに前もって定められた威嚇機器に対して作動指令を出力するようにすることがあげられる。
【０００７】
この際に、監視モードを設定する手段としては、検出機器などからの情報を監視区域ごとに画面表示させるセンタサーバにおいて、監視区域ごとに防犯訓練の実施もしくは検出機器のテストの実施をその監視区域の監視モードとして選択可能にすることがあげられる。
【０００８】
なお、威嚇機器としては、警報ランプ、音声を出力する音声警報スピーカ、スプレー式の噴射装置があげられる。防犯訓練時には、警報ランプや音声警報スピーカの動作チェックも行えるようにすることが望ましいので、警報ランプおよび音声警報スピーカに作動指令を出力するようにすると良い。また、テスト時には、警報ランプの作動だけでテストの目的を果たすことができるので、警報ランプのみに作動指令を出力すれば良い。
【０００９】
【発明の実施の形態】
本発明の実施形態を図面を参照しながら詳細に説明する。
図１に本実施形態におけるセキュリティシステムの概略構成図を示す。
セキュリティシステム１は、家屋や商店といった建物に赤外線センサ（以下、センサとする）２１などの防犯端末器や、監視サーバ２６を配置して監視区域Ａ，Ｂ，Ｃをなし、この監視区域Ａ，Ｂ，Ｃ内への侵入者を検出したときには侵入者に対して威嚇をしたり、通信網２で接続された警備会社３のセンタサーバ３１を利用して警察５などの所定の通報先に通報を行うようになっている。さらに、本実施形態のセキュリティシステム１は、防犯端末器の点検（テスト）や、監視区域Ａ，Ｂ，Ｃの防犯訓練を安全かつ確実に行えるように、通常の監視状態（本番監視モード）に加えて、テストモードと、訓練モードとを選択できるようになっている。
【００１０】
ここで、監視区域Ａ，Ｂ，Ｃは、複数の防犯端末器と、監視サーバ２６とが配置され、これらが有線、または無線でネットワークを構築している。
【００１１】
防犯端末器としては、侵入者を検出する検出機器と、侵入者を威嚇する威嚇機器とがあげられる。検出機器は、侵入者の有無を赤外線を利用して検知するセンサ２１と、侵入者の姿を捉える撮像カメラ（以下、カメラとする）２２とである。威嚇機器は、侵入者の存在を視覚に伝える警報ランプ２３と、音声で伝える音声警報スピーカ２４と、侵入者にスプレーを噴き付けるスプレー噴射装置２５とである。なお、各防犯端末が無線通信技術を利用して監視サーバ２６にネットワーク接続される場合には、その防犯端末器は通信制御装置を備えた構成になる。
【００１２】
監視サーバ２６は、コンピュータに所定のプログラムを起動させたもので、検出機器や威嚇機器からの情報を受け取る手段と、必要に応じて警備会社３のセンタサーバ３１との間で情報の授受を行う手段と、警備会社３がテストモードなどの監視モードを選択した結果を登録する手段と、侵入者を検出したときに、登録されている監視モードの種類に応じて威嚇機器の作動を指令する信号（作動指令）を出力する手段と、侵入者を検出したことを記録したり、通知したりするための情報である侵入者検出情報を作成し、これを記録する手段として機能する。また、監視サーバ２６は、その監視区域Ａ，Ｂ，Ｃに家主や家族などが居り、監視の必要がない場合に、防犯端末器を停止させたり、外出の際に防犯端末器を稼動させたりする操作を受け付けるようにしても良い。
【００１３】
ここで、監視モードとは、すべての防犯端末器および監視サーバ２５を稼動させ、監視区域Ａ，Ｂ，Ｃ内への侵入者を監視するために通常行われる状態である本番監視モードと、防犯端末器の点検（テスト）を行う際のテストモードと、監視区域Ａ，Ｂ，Ｃ内に人を徘徊させて、その人を侵入者として実際に検出できるか否かを試す訓練モードとがある。ちなみに、テストモードは、テスト対象となる防犯端末器が正常に作動か否かを点検することが主目的であり、検出機器がテスト対象である場合には、その検出機器と警報ランプ２３とが監視サーバ２６の制御により作動可能な状態になる。一方、訓練モードは、すべての検出機器を作動可能な状態にすると共に、監視サーバ２６の制御により警報ランプ２３および音声訓練スピーカ２４を作動可能な状態にする。どちらの監視モードの場合においてもスプレー噴射装置２５を非作動状態にするのは、スプレーを噴射させた後の始末の煩わしさを避けるためや、作業員などの安全性を重視するためである。テストモードで音声警報スピーカ２４を吹鳴させないのは、近隣への配慮のためである。このように、本番監視モードまたはテストモードあるいは訓練モードといった監視モードごとに、作動する威嚇機器の種類を決めておくことで、安全かつ、効率的な動作確認が可能になっている。
【００１４】
侵入者検出情報は、監視区域Ａ，Ｂ，Ｃに侵入者が侵入したときに、防犯端末器から監視サーバ２６に出力される情報に所定の情報を加えて作成される一組のレコードからなる。図２に、監視サーバで作成され、その記憶装置に記録される侵入者検出情報のデータ形式の一例を示す。侵入者検出情報の各レコードＲｗは、監視サーバ２６のアドレスｒ１と、警備会社３のコンピュータであるセンタサーバ３１のアドレスｒ２と、監視区域名ｒ３と、防犯端末器が作動した日時、もしくは防犯端末器を非作動とする信号を監視サーバ２６が出力した日時を示す監視日時ｒ４と、監視モードｒ５と、防犯端末を特定する情報である監視媒体ｒ６とを含み、必要に応じて追加される監視データｒ７と、カメラ２２の監視映像データｒ８とが付加される。
【００１５】
アドレスｒ１，ｒ２の一例としては、ＩＰ（Ｉｎｔｅｒｎｅｔ  Ｐｒｏｔｏｃｏｌ）アドレスがあげられる。監視データｒ７は、センサ２１または威嚇機器から出力される情報であって、作動を示す情報（作動イベント）、または、監視サーバ２６が監視モードにより威嚇機器を非作動状態にしたことを示す情報（作動抑制イベント）からなる。監視映像データｒ８は、カメラ２２の作動を示す情報（作動イベント）と、カメラが撮影した動画からなる。ここで、センサ２１が検出した情報のみを伝える場合には、監視データｒ７のみが付加される。威嚇機器の作動のみを伝える場合にも、監視データｒ７のみが付加される。カメラ２２が検出（撮像）した情報のみを伝える場合には、監視撮像データｒ８のみが付加される。したがって、レコードＲｗには、監視データｒ７と監視撮像データｒ８とのいずれか一方が付加されることになる。また、図２のように監視データｒ７と監視撮像データｒ８とを備えるレコードＲｗを作成しても良い。この場合は、複数の防犯機器からの情報をまとめて記録することができる。なお、このような侵入者検出情報は、監視サーバ２６の記録装置２６ａにレコードＲｗごとに時系列に記録される。
【００１６】
また、この侵入者検出情報は、図１に示すセンタサーバ３１にも送信される。侵入者検出情報の送信時の通信伝文の形式の一例を図３に模式的に示す。
送信用の侵入者検出情報であるレコードＲｔは、送信元となる監視サーバ２６が保有するアドレスｒ１と、送信先となるセンタサーバ３１に割り当てられているアドレスｒ２と、監視区域名ｒ３と、防犯端末器が作動した日時、もしくは防犯端末器を非作動とする信号を監視サーバ２６が出力した日時を示す監視日時ｒ４と、監視モードｒ５と、異常を検出した防犯端末を特定する情報である監視媒体ｒ６とを含み、監視データｒ７と、カメラ２２の監視映像データｒ８とが、前記と同様に、必要に応じて付加される。センタサーバ３１においても、侵入者検出情報はレコードＲｔごとに時系列に記録される。
【００１７】
なお、図１の監視区域Ｂは、検出機器であるセンサ２１とカメラ２２とを、玄関と、洋室と、２つの和室と、ダイニング＆キッチンとのそれぞれに配置し、威嚇機器であるスプレー噴射装置２５を玄関に、警報ランプ２３および警報スピーカ２４を屋外に、それぞれ配置している。さらに、監視サーバ２６は、洋室に設置されている。検出機器および威嚇機器の種類や、数または配置は、一例であって、その監視区域に最適なものを選択することができる。監視サーバ２６の配置についても同様である。また、本実施形態で監視区域Ｂは、家屋の全体を１つの単位とするが、家屋の一階部分と二階部分とを別の監視区域としたり、部屋ごとに監視区域を区画しても良い。
【００１８】
警備会社３は、ユーザとの契約に応じて特定の区域への侵入者の侵入の有無を監視し、必要な処置を講じる監視機関であり、通信網２で監視サーバ２６と接続されるセンタサーバ３１を有している。センタサーバ３１は、このセンタサーバ３１は、コンピュータに所定のプログラムを起動させたもので、制御装置の他に、キーボードなどの入力手段や、ディスプレイなどの出力手段（共に不図示）を備え、各監視区域Ａ，Ｂ，Ｃの監視サーバ２６からの情報を受け取る手段と、必要な情報を画面表示させる手段と、前記した監視モードを監視区域Ａ，Ｂ，Ｃごとに設定する手段として機能する。
【００１９】
警備会社３は、監視員を常駐させており、特定の監視区域Ａ，Ｂ，Ｃで侵入者が検出された場合には、前もって定められている通報先に連絡する。通報先としては、その監視区域Ａ，Ｂ，Ｃを管轄する警備会社デポ（緊急発進基地）７、警察署５、消防署６や、監視区域ごとに登録されている連絡先８があげられる。この連絡先８とは、警備会社３に監視を依頼する監視区域Ａ，Ｂ，Ｃの所有者などが、登録する携帯電話の番号や、メールアドレス、他の家屋または職場の連絡先などである。
【００２０】
次に、センタサーバ３１がディスプレイに表示する画面例を図４から図６に示す。
【００２１】
図４は監視区域の名称と監視モードを一覧表示すると共に、監視モードの切り替え、または監視区域履歴表示のいずれかを選択する際に用いられる選択画面を示す図である。
図４の選択画面４１は、監視区域Ａ，Ｃ，Ｃの名称と監視モードとが関連付けられたデータが配列された一覧表４２を有している。この一覧表４２からは、例えば、監視区域Ａは訓練中であるとか、監視区域Ｂおよび監視区域Ｃならびに監視区域Ｅは本番監視中であるとか、監視区域Ｄはテスト中であるとかの確認ができる。また、一覧表４２の下の領域には、セキュリティメニュー選択の表示４３が設けられ、監視モード切り替えを選択するボタン４４と、監視区域Ａ，Ｂ，Ｃの監視履歴の表示（監視区域履歴表示）を選択するボタン４５とが配置されている。監視モードの切り替え、または監視区域履歴表示のいずれかを選択する際には、選択処理を実行させたい監視区域Ａ，Ｂ，Ｃのデータ４２ａ，４２ｂ，４２ｃ，４２ｄ，４２ｅ・・・を一覧表４２から選択した後に、いずれかのボタン４４，４５を選択する。なお、選択とは、キーボードやマウスで選択する場合と、タッチパネル方式により選択する場合とがあげられる（以下、各選択動作について同じ）。
【００２２】
図５は、監視区域の監視モードの切り替えを制御する画面の一例である。
モード切替画面５１は、監視モードを切り替える監視区域Ａ，Ｂ，Ｃを指定するためにその名称などを入力する入力領域５２と、その監視区域Ａ，Ｂ，Ｃの現状の監視モードを表示する現状表示領域５３と、切り替えの要否を入力する判定入力領域５４と、切り替える監視モードを入力するモード入力領域５５と、切り替える監視モードの確認を行う切替確認領域５６と、切り替え後の監視モードを表示する切替後表示領域５７とが配列された構成を有している。
【００２３】
入力領域５２は、例えば「切り替え対象の監視区域を入力してください」などの入力指示を促す表示５２ａに監視区域Ａ，Ｂ，Ｃの入力欄５２ｂが対応付けられた構成になっている。入力欄５２ｂへの入力方法としては、キーボードから入力する方法や、入力する情報の候補を一覧表示させ、入力したい候補を選択する方法を採用することができる（入力方法について以下同じ。）。
【００２４】
現状表示領域５３は、入力領域５２の入力欄５２ｂに入力された監視区域Ａ，Ｂ，Ｃを確認するための表示５３ａと、入力された監視区域Ａ，Ｂ，Ｃの現在の監視モードの表示５３ｂとからなる。図３では、表示５３ａとして「監視区域Ｂの監視モード（現状）」と、表示５３ｂとして「本番監視中」が図示されている。
【００２５】
判定入力領域５４は、監視員が監視モードの切り替えの要否を判定した結果を入力するために設けられており、判定結果の入力を促す表示５４ａと、変更または現状維持を択一に選択できるボタン５４ｂ，５４ｃとからなる。表示５４ａの例としては、図５に示すように「監視区域Ｂの監視モードを切り替えますか？」があげられる。変更を選択するボタン５４ｂには、「変更」というテキストが付され、現状維持を選択するボタン５４ｃには、「現状通り」というテキストが付されており、監視員の操作ミスを防止している。
【００２６】
モード入力領域５５は、判定入力領域５４で変更のボタン５４ｂが選択されたときに操作可能になるもので、「監視区域Ｂの監視モード（切り替え）」などと表示される切り替え指示の表示５５ａと、３つのモードにそれぞれ対応して配列される３つのボタン、すなわち、本番監視モードに対応する「本番」と表示されたボタン５５ｂ、訓練モードに対応する「訓練」と表示されたボタン５５ｃ、テストモードに対応する「テスト」と表示されたボタン５５ｄからなる。
【００２７】
切替確認領域５６は、「監視区域Ｂの監視モードを切り替えます。よろしいですか。」などの確認を促す表示５６ａと、了解した場合に選択するボタン５６ｂと、ここに至る処理を取り消すためのボタン５６ｃとからなる。なお、確認を行うのは、監視員が操作ミスを防ぐためである。
【００２８】
切替後表示領域５７は、その監視区域Ａ，Ｂ，Ｃの切り替え処理後の監視モードを確認のために表示させるもので、「監視区域Ｂの監視モード（切り替え後）」などの切り替えを行った監視領域Ａ，Ｂ，Ｃを特定する表示５７ａと、切り替え後の監視モードを特定する表示５７ｂとからなる。
【００２９】
また、図６に監視区域の履歴を表示する履歴表示画面の一例を示す。
履歴表示画面６１は、選択された監視区域Ａ，Ｂ，Ｃの名称およびその監視区域Ａ，Ｂ，Ｃの監視モードを表示すると共に、その監視区域Ａ，Ｂ，Ｃに発生したイベントの発生日時と、イベントの内容とを時系列に表示したものである。イベントの発生日時は、受信した侵入者検出情報の監視日時ｒ４（図３参照）を用いる。イベントの内容は、受信した侵入者検出情報の監視媒体ｒ６および監視データｒ７または監視映像データｒ８（図３参照）に基づいて作成され、防犯端末器が作動したことを示すテキストと、防犯端末器の設置場所を特定する情報とからなり、例えば、「センサ侵入者検知（玄関）」や、「カメラ侵入者検知（玄関）」、「警報ランプ作動（玄関横）」などである。設置場所の情報は、防犯端末器を特定する情報とその設置位置とを対応付けたテーブルを前もってセンタサーバ３１に記憶させておき、このテーブルを監視区域Ａ，Ｂ，Ｃの名称と防犯端末器を特定する情報とで検索することにより得られる。
【００３０】
この履歴表示画面６１は、１つの監視区域Ａ，Ｂ，Ｃを指定して履歴を表示させるが、複数の監視区域Ａ，Ｂ，Ｃを指定して、それらの監視区域Ａ，Ｂ，Ｃの履歴を表示させても良い。また、所定の期間の最初の日時と最後の日時とを指定し、その間に発生した履歴表示のみを行わせる機能や、特定のイベントに限定した履歴表示など、用途に応じた各種の履歴表示が可能にしても良い。
【００３１】
さらに、セキュリティシステムで行われる処理の具体例を図７から図９のフローチャートを用いて説明する。なお、図７は監視区域内の監視サーバの処理を示し、図８および図９は警備会社のセンタサーバの処理を示している。
【００３２】
監視区域Ａ，Ｂ，Ｃ内に設置される監視サーバ２６における処理について、監視区域Ｂを例にして図７のフローチャートを参照しながら説明する。
まず、図１のセンタサーバ３１から監視モードを取り込み（ステップＳ１１）、監視プログラムの停止指示があった場合（ステップＳ１２で有）には、停止処理を行い、処理を終了する。一方、監視プログラムの停止指示がない場合（ステップＳ１２で無）は、監視区域Ｂの情報を読み取る（ステップＳ１３）が、監視区域Ｂが侵入者検知信号を出力していない場合（ステップＳ１４で無）は、ステップＳ２３に進んで、５秒間など、一定時間待機した後に、ステップＳ１１に戻る。
【００３３】
監視区域から出力された侵入者検知信号を受信したとき（ステップＳ１４で有）には、記録装置２６ａに侵入者を検知したセンサ２１の識別情報と、その日時ならびに検出イベントを記録する（ステップＳ１５）。さらに、センサ２１に近接して設置されたカメラ２２がある場合には、カメラ２２の識別情報と、映像データと撮像日時と、作動イベントとを記録する（ステップＳ１６）。
【００３４】
ここで、監視区域Ｂの監視モードが訓練モードである場合には（ステップＳ１７でＹＥＳ）、スプレー噴射装置２５の作動を抑止し、この状態で警報ランプ２３および音声警報スピーカ２４を作動させ、その日時と、スプレー噴射装置２５の作動抑止イベントと、警報ランプ２３および音声警報スピーカ２４の作動イベントとを侵入者検出情報Ｒｗ（図２）として、それぞれ記録する（ステップＳ１８）。ここまでの処理で監視サーバ２６に記録された情報で、センタサーバ３１に未送信の情報があれば、これに所定の情報を付加して侵入者検出情報Ｒｔ（図３参照）として送信する（ステップＳ２２）。この後は一定時間待機してから（ステップＳ２３）、ステップＳ１１に戻る。
【００３５】
また、侵入者検知信号を取得したときに、監視区域Ｂの監視モードが訓練モードでなく（ステップＳ１７で）、テストモードであった場合には（ステップＳ１９でＹＥＳ）、スプレー噴射装置２５および音声警報スピーカ２４の作動を抑止し、この状態で警報ランプ２３を作動させ、その日時と、スプレー噴射装置２５および音声警報スピーカ２４の作動抑止イベントと、警報ランプ２３の作動イベントとを侵入者検出情報Ｒｗ（図２）として、それぞれ記録する（ステップＳ２０）。ここまでの処理で監視サーバ２６に記録された情報で、センタサーバ３１に未送信の情報があれば、これに所定の情報を付加して侵入者検出情報Ｒｔ（図３参照）として送信する（ステップＳ２２）。この後は一定時間待機してから（ステップＳ２３）、ステップＳ１１に戻る。
【００３６】
そして、侵入者検知信号を取得したときに、監視区域Ｂの監視モードが訓練モードでなく（ステップＳ１７でＮＯ）、テストモードでもない場合（ステップＳ１９でＮＯ）、つまり本番監視モードである場合には、スプレー噴射装置２５および音声警報スピーカ２４ならびに警報ランプ２３を作動させ、その日時と、スプレー噴射装置２５および音声警報スピーカ２４ならびに警報ランプ２３の作動イベントとを侵入者検出情報Ｒｗ（図２）として、それぞれ記録する（ステップＳ２１）。ここまでの処理で監視サーバ２６に記録された情報で、センタサーバ３１に未送信の情報があれば、これに所定の情報を付加して侵入者検出情報Ｒｔ（図３参照）として送信する（ステップＳ２２）。この後は一定時間待機してから（ステップＳ２３）、ステップＳ１１に戻る。
【００３７】
図８に警備会社３のセンタサーバ３１の処理のフローチャートを示す。
監視区域Ａ，Ｂ，Ｃを特定する情報の入力を受け（ステップＳ３１）、かつ、処理の終了が指示されていない場合（ステップＳ３２でＮＯ）に、センタサーバ３１は、該当する監視区域Ａ，Ｂ，Ｃの監視サーバ２６から未取得の侵入者検出情報Ｒｔを取得する（ステップＳ３３）。侵入者検出情報Ｒｔを受信したら、日時やイベントの内容などを編集する（ステップＳ３４）。
【００３８】
侵入者検出情報Ｒｔを受信した監視区域Ａ，Ｂ，Ｃの監視モードが、訓練モードである場合には（ステップＳ３５でＹＥＳ）、編集した侵入者検出情報Ｒｔに訓練モードであることの情報を追加し（ステップＳ３６）、ディスプレイに表示させる（ステップＳ３９）。ディスプレイへの表示を終えたら、一定時間（例えば５秒間）待機した後に（ステップＳ４０）、ステップＳ３２に戻る。このときに、表示終了の指示が入力されていれば（ステップＳ３２でＹＥＳ）、ここでの処理を終了する。
【００３９】
侵入者検出情報Ｒｔを受信した監視区域Ａ，Ｂ，Ｃの監視モードが、訓練モードでなく（ステップＳ３５でＮＯ）、テストモードである場合には（ステップＳ３７でＹＥＳ）、編集した侵入者検出情報Ｒｔにテストモードであることの情報を追加し（ステップＳ３８）、ディスプレイに表示させる（ステップＳ３９）。ディスプレイへの表示を終えたら、一定時間（例えば５秒間）待機した後に（ステップＳ４０）、ステップＳ３２に戻る。このときに、表示終了の指示が入力されていれば（ステップＳ３２でＹＥＳ）、ここでの処理を終了する。
【００４０】
そして、侵入者検出情報Ｒｔを受信した監視区域Ａ，Ｂ，Ｃの監視モードが、本番監視モードであった場合には（ステップＳ３５でＮＯ、かつステップＳ３７でＮＯ）、編集した侵入者検出情報Ｒｔをディスプレイに表示させる（ステップＳ３９）。ディスプレイへの表示を終えたら、一定時間（例えば５秒間）待機した後に（ステップＳ４０）、ステップＳ３２に戻る。このときに、表示終了の指示が入力されていれば（ステップＳ３２でＹＥＳ）、ここでの処理を終了する。
【００４１】
次に、図９は、センタサーバ３１における監視モードの切り替え処理を説明するフローチャートである。
センタサーバ３１は、図５のモード切替画面５１を表示させると共に、警備会社３の監視員が入力領域５２に必要な情報を入力させることで、切り替え処理をする監視区域Ａ，Ｂ，Ｃの入力を受け付ける（ステップＳ４１）。そして、該当する監視区域（ここでは、監視区域Ｂとする）と、その監視区域Ｂの現在のモードとを監視員に確認させるために現状表示領域５３に表示する（ステップＳ４２）。
【００４２】
現状の表示を確認した監視員が判定入力領域５４を操作したら、操作結果に応じて切り替え処理の要否を判定する。監視モードの切り替えが要求されていた場合（ステップＳ４３でＹＥＳ）には、ステップＳ４４に進んでモード入力領域５５の操作に基づいた処理を行う。一方、モードの切り替えが要求されていない場合、つまり現状維持の場合（ステップＳ４３でＮＯ）は、ここでの処理を終了する。
【００４３】
ステップＳ４４に進んでモード入力領域５５の操作に基づいた処理を行う場合には、モード入力領域５５から取得する情報から、切り替える監視モードを判定する。訓練モードが選択されていたときには（ステップＳ４４でＹＥＳ）、該当する監視区域Ｂの防犯端末器を訓練モードに切り替え（ステップＳ４５）、切り替え後の監視モードをディスプレイに表示すると共に、その監視区域Ｂの監視サーバ２６に転送して（ステップＳ４９）、ここでの処理を終了する。
【００４４】
訓練モードが選択されていないときには（ステップＳ４４でＮＯ）、テストモード、本番作動モードのいずれであるか判定する。テストモードであった場合には（ステップＳ４６でＹＥＳ）、該当する監視区域Ｂの防犯端末器をテストモードに切り替え（ステップＳ４７）、ステップＳ４９に進んでディスプレイ表示および該当する監視サーバ２６への転送を行った後に処理を終了する。
【００４５】
本番作動モードであった場合（ステップＳ４６でＮＯ）には、該当する監視区域Ｂの防犯端末器を本番作動モードに切り替え（ステップＳ４８）、ステップＳ４９に進んでディスプレイ表示および該当する監視サーバ２６への転送を行った後に処理を終了する。
【００４６】
本実施形態のセキュリティシステム１によれば、警備会社３は、複数の監視区域Ａ，Ｂ，Ｃを遠隔地から監視することができ、必要に応じて監視履歴の表示や、現在の監視モードの確認ができるようになる。さらに、監視モードにはテストモードや、訓練モードといった動作確認のためのモードが選択可能になっており、警備会社３のセンタサーバ３１の画面上でも現在の監視モードを確認することができるので、テストの実施や、訓練の実施により擬似的に発生させた異常状態と、実際の異常の発生とを判別することが可能である。また、監視モードの選択作業はセンタサーバ３１で行うが、この際に確認のための表示を画面に出力させることで人為的なミスを防止できる。
【００４７】
一方、監視区域Ａ，Ｂ，Ｃでは、警備会社３で選択された監視モードを監視サーバ２６が登録し、監視モードごとに決められた威嚇機器を作動させるようにしたことで、近隣に迷惑をかけることがなくなり、不要な威嚇機器を作動させないことで安全に、かつ効率良くテストや訓練を実施することができる。
【００４８】
なお、本発明は前記実施形態に限定されずに広く応用することができる。
例えば、監視モードによって、威嚇機器の作動の仕方を変化させても良い。例えば、テストモードや、訓練モードでは、警報ランプ２３や音声警報スピーカ２４を本番監視モードに比べて短い時間だけ作動させたり、テストモードや、訓練モードでは、本番監視モードとは異なる色で警報ランプ２３を点灯したり、本番監視モードとは異なる音声を音声警報スピーカ２４から出力させても良い。
【００４９】
【発明の効果】
本発明によれば、特定の区域において、通常の監視を行う場合と、検出機器のテストを行う場合と、防犯訓練を行う場合とを区別できるようになるので、誤った通報が行われることがなくなる。また、テストや防犯訓練に必要な威嚇機器のみ作動させることで、安全かつ効率的に検出機器の動作確認を行える。
【図面の簡単な説明】
【図１】本発明の実施形態におけるセキュリティシステムの概略構成図である。
【図２】図１の監視サーバに記録される情報の構成を示す図である。
【図３】図１の警備会社のセンタサーバに送信される情報の構成を示す図である。
【図４】図１のセンタサーバの画面の一例を示す図である。
【図５】図１のセンタサーバの画面の一例を示す図である。
【図６】図１のセンタサーバの画面の一例を示す図である。
【図７】図１の監視サーバの処理を示すフローチャートである。
【図８】図１のセンタサーバで行われる処理の全体を示すフローチャートである。
【図９】図１のセンタサーバで行われる監視モードの切り替え処理を示すフローチャートである。
【符号の説明】
１      セキュリティシステム
２      通信網
３      警備会社
２１    センサ（検出機器）
２２    カメラ（検出機器）
２３    警報ランプ（威嚇機器）
２４    音声警報スピーカ（威嚇機器）
２５    スプレー噴射装置（威嚇機器）
２６    監視サーバ
３１    センタサーバ
【図１】
2004258937.tif 000003
【図２】
2004258937.tif 000004
【図３】
2004258937.tif 000005
【図４】
2004258937.tif 000006
【図５】
2004258937.tif 000007
【図６】
2004258937.tif 000008
【図７】
2004258937.tif 000009
【図８】
2004258937.tif 000010
【図９】
2004258937.tif 000011